(57)【要約】  本発明は後行用紙の先端をガイドローラーの間にかみこませることができるようにしつつも電子クラッチの駆動力を円滑にガイド側に伝達することのできる事務自動化機器の給紙装置に関するものであり、ピックアップローラーと、ピックアップローラー側に駆動力を伝達するガイドローラーを持つ事務自動化機器の給紙装置において、ガイドローラーは駆動モーターの駆動力を取り締まる電子クラッチに連結されるガイド軸に回転可能なように設置され、ガイド軸には駆動モーターの駆動力をピックアップローラー側に伝達する駆動ギアが回転可能なように設置されるが、ガイドローラーと駆動ギアは互いに連結され、  ピックアップローラーはピックアップ軸に回転可能なように設置されるが、ピックアップローラーと受動ギアは互いに連結され、駆動ギアと受動ギアの間には駆動ギアの駆動力を受動ギアに伝達されると同時にガイドローラーの回転方向とピックアップローラーの回転方法を一致させるためのアイドラーギアが配置され、ガイドローラーまたは駆動ギアには用紙供給方向にのみ回転するようにするワンウェイベアリングが内蔵され、ピックアップローラーまたは受動ギアには用紙供給方向にのみ回転するようにする又別のワンウェイベアリングが内蔵される。
2020528389.tif 000002
【特許請求の範囲】
【請求項１】
ピックアップローラー(220)と、上記ピックアップローラー(220)側に駆動力を伝達するガイドローラー(230ａ)を持つ事務自動化機器の給紙装置において、上記ガイドローラー(230ａ)は駆動モーターの駆動力を伝達する電子クラッチ(260)に連結されるガイド軸(232)に回転可能なように設置して、上記ガイド軸(232)には上記駆動モーターの駆動力を上記ピックアップローラー(220)側に伝達する駆動ギア(234)が回転可能なように設置されるが、上記ガイドローラー(230ａ)と上記駆動ギア(234)は互いに連結され、上記ピックアップローラー(220)はピックアップ軸(222)に回転可能なように設置され、上記ピックアップ軸(222)には上記駆動ギア(234)の駆動を伝達される受動ギア(224)が回転可能なように設置されるが、上記ピックアップローラー(220)と上記受動ギア(224)は互いに連結され、
上記駆動ギア(234)と上記受動ギア(224)の間には上記駆動ギア(234)の駆動力を上記受動ギア(224)に伝達されると同時に上記ガイドローラー(234ａ)の回転方向と上記ピックアップローラー(220)の回転方向を一致させるためのアイドラーギア(270)が配置され、
上記ガイドローラー(230)または上記駆動ギア(234)には用紙供給方向にのみ回転させるためのワンウェイベアリング(236)が内蔵されて、上記ピックアップローラー(220)または上記受動ギア(224)には用紙供給方向にのみ回転させるためのワンウェイベアリング(226)が内蔵される事務自動化機器の給紙装置。
【請求項２】
請求項１に記載の事務自動化機器の給紙装置において
互いにかみ合う上記駆動ギア(234)の一側と上記ガイドローラー(230ａ)の一側、そして互いにかみ合う上記受動ギア(224)の一側と上記ピックアップローラー(220)の一側にキー(236ａ、226ａ)及びキー溝(236ｂ、226ｂ)が形成されてかみ合い連結される事務自動化機器の給紙装置。
【請求項３】
ピックアップローラー(220)と、上記ピックアップローラー(220)側に駆動力を伝達するガイドローラー(230ａ)をもつ事務自動化機器の給紙装置において、上記ガイドローラー(230ａ)は駆動モーターの駆動力を伝達する電子クラッチ(260)に連結されるガイド軸(232)に回転可能なように設置され、上記ガイド軸(232)には上記駆動モーターの駆動力を上記ピックアップローラー(220)側に伝達する駆動プーリー(334)が回転可能なように設置されるが、上記ガイドローラー(230ａ)と上記駆動プーリー(334)は互いに連結され、上記ピックアップローラー(220)はピックアップ軸(222)に回転可能なように設置され、上記ピックアップ軸(222)には上記駆動プーリー(334)の駆動の伝達を受ける受動プーリー(324)が回転可能なように設置されるが、上記ピックアップローラー(220)と上記受動プーリー(324)は互いに連結され、上記駆動プーリー(334)と上記受動プーリー(324)は上記駆動プーリー(334)の駆動力を上記受動プーリー(324)に伝達すると同時に上記ガイドローラー(230ａ)の回転方向と上記ピックアップローラー(220)の回転方向を一致させるためのベルト(370)を媒介として連結され、
上記ガイドローラー(230)または上記駆動プーリー(334)には用紙供給方向にのみ回転するようにするワンウェイベアリング(236)が内蔵され、上記ピックアップローラー(220)又は上記受動プーリー(324)には用紙供給方向にのみ回転するようにする、また別のワンウェイベアリング(226)が内蔵されるが、互いにかみ合う上記駆動プーリー(334)の一側と上記ガイドローラー(230ａ)の一側、そして上記受動プーリー(324)の一側と上記ピックアップローラー(220)の一側はキー(236ａ、226ａ)及びキー溝(236ｂ、226ｂ)が形成されてかみ合い連結される事務自動化機器の給紙装置。
【発明の詳細な説明】
【技術分野】
【０００１】
本発明は、プリンター、コピー機及びファクシミリなどのような事務自動化機器の給紙装置に関するものである。
【背景技術】
【０００２】
事務自動化機器の代表的な例としてはプリンター、コピー機及びファクシミリなどをあげることができ、このような事務自動化機器には通常、多数枚の用紙を収容して収容された用紙を機器本体の内部に一枚ずつ順番に供給するために給紙装置が備えられる。
【０００３】
図１は、事務自動化機器の一般的な給紙装置の一例を概略的に表した図面で、給紙装置（１０）は誰でもわかるように、カセット(図示無し)に収容された用紙(2)の先端に面密着した状態で回転しながら用紙(２)を機器本体(図示無し)の内側方向に押し出すピックアップローラー(２０)と、ピックアップローラー(２０)によりカセットから引き出された用紙(2)を噛んだ状態で通過させて機器本体の内側にガイドするガイドローラー(３０)及びフィーディングローラー(４０)を含んだ構成となっている。
【０００４】
そして誰でもわかるように、ピックアップローラー(２０)、ガイドローラー(３０)及びフィーディングローラー(４０)は、ひとつの駆動モーター(図示無し)により駆動がなされるように構成されている。
【０００５】
図2は図1に図示されたガイドローラーとピックアップローラーの駆動を説明するための図面で、ガイドローラー(３０)は図示のように電子クラッチ(50)と連結されたガイド軸(32)に回転できるように設置される。ガイドローラー(３０)が設置されたガイド軸(32)には駆動モーターの駆動をピックアップローラー(２０)側に伝達するための駆動ギア(３４)と、ガイドローラー(３０)を一方向(用紙供給方向)のみに回転させる第1ワンウェイベアリング(36)がガイドローラー(３０)と連結されるように設置される。
【０００６】
同じく、ピックアップローラー(２０)は、ガイド軸(32)と水平を成すように配置されたピックアップ軸(２2)に回転ができるように設置される。そしてピックアップローラー(２０)が設置されたピックアップ軸(２2)には駆動ギア(３４)の駆動を伝達される受動ギア(24)と、ピックアップローラー(２０)を一方向(用紙供給方向)にのみ回転させる第2ワンウェイベアリング(26)がピックアップローラー(２０)と連結されるように設置される。
【０００７】
そして駆動ギア(34)と受動ギア(24)の間には、駆動ギア(34)の駆動を受動ギア(24)に伝達するアイドラーギア(60)が配置される。
【０００８】
すなわち、１枚の用紙(２)を機器本体の内側へ供給するために、駆動モーターを作動させると、ピックアップローラー(２０)、ガイドローラー(３０)及びフィーディングローラー(４０)は一方向(用紙供給方向)に回転するが、ピックアップローラー(２０)はカセットに収容された一枚の用紙(2)をガイドローラー(３０)側に押出し、ガイドローラー(３０)は用紙(２)をフィーディングローラー(４０)側に押出し、フィーディングローラー(４０)は用紙(2)を機器本体内側へ押出す。このとき電子クラッチ(50)はカセットに収容された一枚の用紙(２)がフィーディングローラー(４０)側に供給されるとガイド軸(32)が回転しないようにガイド軸(32)を制御する。
【０００９】
このような構造を持つ従来の給紙装置(10)では用紙（２）がピックアップ  ローラー(２０)を抜け出た瞬間ピックアップ  ローラー(２０)の回転が停止するために後行する用紙(2)はカセット内に収容された状態を維持することになる。
【００１０】
だが、このような従来の給紙装置(10)は後行する用紙(2)がカセット内に収容されているために用紙（2）の厚さが薄い場合、又は用紙(2)が湿っている場合、ガイドローラー(30)側に供給される用紙(2)が曲がりながらガイドローラー(30)でジャム(ＪＡＭ)が発生するという問題点があった。
【００１１】
一方、図３は従来又は他の給紙装置を概略的に表した図面で、図3には“大韓民国公開特許第2000-0051019号の”発明の属する技術及びその分野従来技術“として提示されている給紙装置(100)が図示されている。
【００１２】
図3に図示された給紙装置(100)は図2に図示された給紙装置(10)と大同小異であるといえるが、ガイドローラー(130)及び駆動ギア(134)が図示されているように、電子クラッチ(150)と連結されたガイド軸(132)に固定されるように装着され、同じようにピックアップローラー(１２０)及び受動ギア(124)が図示されているようにピックアップ軸(122)に固定されるように装着され、駆動ギア(134)と受動ギア(124)の間にアイドラーギア(160)が配置された給紙装置(100)が開示されている。
【００１３】
このように構成された給紙装置(100)を利用した用紙(2)の供給は、図2の給紙装置(10)と同一になされるが、図2の給紙装置(10)とは違い、用紙(2)がガイドローラー(130)を抜け出るときまでガイドローラー(130)、ガイド軸(132)及びピックアップローラー(１２０)が回転するため、ピックアップローラー(１２０)が後行用紙(2)をピックアップすることになり、先行用紙(２)がガイドローラー(130)を抜け出る瞬間、ガイドローラー(130)、ガイド軸(132)及びピックアップローラー(１２０)は回転を停止することになるが、これにより後行用紙(２)の先端はガイドローラー(130)にかみこまれる。
【００１４】
このように形成された給紙装置(100)は、後行用紙(2)の先端をガイドローラー(130)にかみこまれるので、図2に図示された給紙装置（10）の問題点を解決することができるが、ガイドローラー(130)に伴いガイド軸(132)が続けて回転するために用紙(2)を連続して供給する過程でガイド軸(132)と電子クラッチ（150）の間でスリップが発生する問題があり、このような問題により電子クラッチ(150)の駆動力がガイド軸(132)に円滑に伝達されず、ガイドローラー(130)にかみこまれた用紙(2)を押出すことができずジャム(ＪＡＭ)が発生する問題点があった。
【発明の概要】
【発明が解決しようとする課題】
【００１５】
本発明は、後行用紙の先端をガイドローラーの間にかみこむことができるようにしつつ、電子クラッチの駆動力を円滑にガイド軸に伝達することができる事務自動化機器の給紙装置を提供するためのものである。
【００１６】
本発明がなそうとする技術的課題は以上に言及した技術的課題により制限されない。
【課題を解決するための手段】
【００１７】
上記の課題を達成するための本発明の第1実施例によると、ピックアップローラーと、ピックアップローラー側に駆動力を伝達するガイドローラーを持つ事務自動化機器の給紙装置において、ガイドローラーは駆動モーターの駆動力を伝達する電子クラッチに連結するガイド軸に回転可能なように設置し、ガイド軸には駆動モーターの駆動力をピックアップローラー側に伝達する駆動ギアが回転可能なように設置するが、ガイドローラーと駆動ギアは互いに連結され、ピックアップローラーはピックアップ軸に回転可能なように設置され、ピックアップ軸には駆動ギアの駆動を伝達される受動ギアが回転可能なように設置されるが、ピックアップローラーと受動ギアは互いに連結され、駆動ギアと受動ギアの間には駆動ギアの駆動力を受動ギアに伝達されると同時にガイドローラーの回転方向とピックアップローラーの回転方向を一致させるためのアイドラーギアが配置され、ガイドローラーまたは駆動ギアには用紙供給方向にのみ回転するようにするワンウェイベアリングが内蔵され、ピックアップローラー又は受動ギアには用紙供給方向にのみ回転するようにする、また別のワンウェイベアリングが内蔵されることもある。
【００１８】
具体的に、互いにかみ合う駆動ギアの一側とガイドローラーの一側と、また互いにかみ合う受動ギアの一側とピックアップローラーの一側はキー及びキー溝が形成されてかみ合い連結され得る。
【００１９】
本発明の第２実施例によると、ピックアップローラーと、ピックアップローラー側に駆動力を伝達するガイドローラーを持つ事務自動化機器の給紙装置において、ガイドローラーは駆動モーターの駆動力を伝達する電子クラッチに連結するガイド軸に回転可能なように設置し、ガイド軸には駆動モーターの駆動力をピックアップローラー側に伝達する駆動プーリーが回転可能なように設置するが、ガイドローラーと駆動プーリーは互いに連結され、ピックアップローラーはピックアップ軸に回転可能なように設置され、ピックアップ軸には駆動プーリーの駆動を伝達される受動プーリーが回転可能なように設置されるが、ピックアップローラーと受動プーリーは互いに連結され、駆動プーリーと受動プーリーは、駆動プーリーの駆動力を受動プーリーに伝達されると同時にガイドローラーの回転方向とピックアップローラーの回転方向を一致させるためのベルトを媒介として連結され、ガイドローラー又は駆動プーリーには用紙供給方向にのみ回転させるようにするワンウェイベアリングが内蔵され、ピックアップローラー又は受動プーリーには用紙供給方向にのみ回転するようにする、また別のワンウェイベアリングが内蔵されるが、互いにかみ合う駆動プーリーの一側とガイドローラーの一側、そして受動プーリーの一側とピックアップローラーの一側はキー及びキー溝が形成されてかみ合い連結され得る。
【発明の効果】
【００２０】
以上で説明したとおり、本発明による事務自動化機器の給紙装置はガイド軸が停止した状態でもガイドローラー及びガイドローラーの回転によりピックアップローラーが回転するために後行用紙の先端をガイドローラーの間にかみこんでおけるのみならず、ガイド軸が停止しているために次の給紙時、ガイド軸と電子クラッチの間でのスリップが発生することを根本的に防止することのできる利点がある。
【図面の簡単な説明】
【００２１】
【図１】事務自動化機器の一般的な給紙装置の一例を概略的に表した図面である。
【図２】図1に図示したガイドローラーとピックアップローラーの駆動を説明するための図面である。
【図３】従来又は別の給紙装置を概略的に表した図面である。
【図４】本発明による事務自動化機器の給紙装置を概略的に表した図面である。
【図５】図4に示したガイドローラー組立体及びピックアップローラーの組立体の一実施例を表した図面である。
【図６】図4に示したガイドローラー組立体及びピックアップローラーの組立体の又他の実施例を表した図面である。
【発明を実施するための形態】
【００２２】
以下、添付された図面を参照して本発明の望ましい一実施例を詳細に説明する。図面の中で同一の構成要素は可能などの部分でも同一の符号で表示する。また本発明の要旨を不必要にぼやかすような公知機能及び構成についての詳細な説明は省略する。
【００２３】
図4は本発明に伴う事務自動化機器の給紙装置を表した図面であり、本発明による事務自動化機器の給紙装置(200)は用紙(2)を収容するカセット(210)と、カセット(210)に収容された用紙(２)先端に面密着した状態で回転させつつ用紙(２)をカセット(２１０)の外側方向、すなわち機器本体(図示無し)の内側方向へ押出すピックアップローラー(２２０)と、ピックアップローラー(２２０)によりカセット(210)内部から引き出された用紙(２)を噛みこんだ状態で通過させながら機器本体の内側方向にガイドするガイドローラー(230ａ、230ｂ)と、ガイドローラー(230ａ、230ｂ)からガイドされた用紙（２）を噛みこんだ状態で通過させながら機器本体の内側方向にガイドするフィーディングローラー(２４０ａ、240ｂ)を含む。
【００２４】
また本発明による事務自動化機器の給紙装置(２００)はピックアップローラー(２２０)、ガイドローラー(２３０ａ、２３０ｂ)、フィーディングローラー(２４０ａ、２４０ｂ)を駆動させる駆動モーター(図示なし)、及びカセット(２１０)内部に配置され、カセット(２１０)に収容された多数枚の用紙(２)の内、最上側の用紙(２)をピックアップローラー(２２０)と面密着するようにするリフティング手段(２５０)を含む。
【００２５】
ここで、本発明による事務自動化機器の給紙装置(２００)を構成するカセット(２１０)、フィーディングローラー(２４０)、駆動モーター、リフティング手段(２５０)と、ひとつの駆動モーターを利用したピックアップローラー(２２０)、ガイドローラー(230ａ、230ｂ)及びフィーディングローラー(２４０ａ、240ｂ)の駆動は当業界では公知の技術であるので詳細な説明は省略する。
【００２６】
図5は、図4に図示したガイドローラー組立体及びピックアップローラー組立体の一実施例を表した図面であり、図5は図4に図示したとおり一対で提供するガイドローラー(２３０ａ、２３０ｂ)の中のピックアップローラー(２２０)側に駆動力を伝達するガイドローラー(230ａ)のみ図示しており、もうひとつのガイドローラー(230ｂ)は連結関係及び作用は公知の技術であるため詳細な説明は省略する。
【００２７】
図5を参照するとピックアップローラー(２２０)側に駆動力を伝達するガイドローラー(230ａ)は図示した通り電子クラッチ(２６０)と連結されたガイド軸(２３２)に回転可能なように設置され、電子クラッチ(260)は駆動モーターと連結されて駆動力をガイド軸(232)に伝達する。
【００２８】
ここで、駆動モーターと電子クラッチ(２６０)の連結関係及び電子クラッチ(260)とガイド軸(232)の連結関係は当業界では公知の技術であるので詳細な説明は省略する。
【００２９】
一方、ガイドローラー(230ａ)が設置されたガイド軸(２３２)には駆動モーターの駆動をピックアップローラー(２２０)側に伝達する駆動ギア(２３４)が回転可能なように設置されるが、互いにかみ合う駆動ギア(２３４)の一側とガイドローラー(２３０ａ)の一側はキー(236ａ)及びキー溝(236ｂ)が形成されて互いにかみ合う。
【００３０】
このとき、ガイドローラー(230ａ)または駆動ギア(２３４)の内、どちらかとガイド軸(232)の間にはガイドローラー(230ａ)または駆動ギア(２３４)を一方向、すなわち用紙供給方向のみに回転するようにするワンウェイベアリング(２３６)が設置される。
【００３１】
図5には駆動ギア(234)側にワンウェイベアリング(236)が設置された状態が図示されている。
【００３２】
ピックアップローラー(２２０)は図示されたように、ピックアップ軸(２２２)に回転可能なように設置され、ピックアップローラー(２２０)が設置されるピックアップ軸(２２２)には駆動ギア(２３４)の駆動の伝達を受ける受動ギア(２２４)が設置されるが、互いにかみ合う受動ギア(２２４)の一側とピックアップローラー(２２０)の一側はキー(236ａ)及びキー溝(236ｂ)が形成されて互いにかみ合う。
【００３３】
このときピックアップローラー(２２０)または受動ギア(２２４)の内どちらかとピックアップ軸(２２２)の間にはピックアップローラー(２２０)または受動ギア(２２４)を一方向、すなわち用紙供給方向のみに回転するようにするワンウェイベアリング(２２６)が内蔵される。
【００３４】
図5は受動ギア(２２４)側にワンウェイベアリング(２２６)が設置された状態が図示されている。
【００３５】
そして駆動ギア(２３４)と受動ギア(２２４)の間には、駆動ギア(２３４)の駆動力を受動ギア(２２４)に伝達すると同時にガイドローラー(230ａ)の回転方向とピックアップローラー(２２０)の回転方向を一致させるためのアイドラーギア(２７０)が配置される。
【００３６】
図6は図4に図示されたガイドローラー組立体及びピックアップローラー組立体の他の実施例を表した図面であり、図6には図4に図示されたとおり一対で提供されるガイドローラー(２３０ａ、２３０ｂ)の中のピックアップローラー(２２０)側に駆動力を伝達するガイドローラー(230ａ)のみ図示しており、もうひとつのガイドローラー(230ｂ)は連結関係及び作用は公知の技術であるため詳細な説明は省略する。
【００３７】
図6を参照すると、ピックアップローラー(２２０)側に駆動力を伝達するガイドローラー(２３０ａ)は図示されたとおり電子クラッチ(２６０)と連結されたガイド軸(２３２)の連結関係は当業界では公知の技術であるので詳細な説明は省略する。
【００３８】
ここで駆動モーターと電子クラッチ(２６０)の連結関係及び電子クラッチ(260)とガイド軸(232)の連結関係は当業界では公知の技術であるので詳細な説明は省略する。
【００３９】
一方、ガイドローラー(230ａ)が設置されたガイド軸(２３２)には駆動モーターの駆動をピックアップローラー(２２０)側に伝達する駆動プーリー(３３４)が回転可能なように設置するが、互いにかみ合う駆動プーリー(３３４)の一側とガイドローラー(２３０ａ)の一側はキー(236ａ)及びキー溝(236ｂ)が形成されて互いにかみ合う。
【００４０】
このとき、ガイドローラー(230ａ)または駆動プーリー(３３４)の内、どちらかとガイド軸(232)の間にはガイドローラー(230ａ)または駆動プーリー(３３４)を一方向、すなわち用紙供給方向のみに回転するようにするワンウェイベアリング(２３６)が掲載される。
【００４１】
図6には駆動プーリー(３３４)側にワンウェイベアリング(236)が設置された状態が図示されている。
【００４２】
ピックアップローラー(２２０)は図示されたように、ピックアップ軸(２２２)に回転可能なように設置され、ピックアップローラー(２２０)が設置されるピックアップ軸(２２２)には駆動プーリ(３３４)の駆動の伝達を受ける受動プーリー(３２４)が設置されるが、互いにかみ合う受動プーリー(３２４)の一側とピックアップローラー(２２０)の一側はキー(２２６ａ)及びキー溝(２２６ｂ)が形成されて互いにかみ合う。
【００４３】
このときピックアップローラー(２２０)または受動プーリー(３２４)の内どちらかとピックアップ軸(２２２)の間にはピックアップローラー(２２０)または受動プーリー(３２４)を一方向、すなわち用紙供給方向のみに回転するようにするワンウェイベアリング(２２６)が内蔵される。
【００４４】
図６は受動プーリー(３２４)側にワンウェイベアリング(２２６)が設置された状態が図示されている。
【００４５】
そして駆動プーリー(３３４)と受動プーリー(３２４)はベルト(３７０)を媒介として連結されるがベルト(３７０)は駆動プーリー（３３４）の駆動力を受動プーリー(３２４)に伝達すると同時にガイドローラー(２３０ａ)の回転方向とピックアップローラー(２２０)の回転方向を一致させるが、駆動プーリー(３３４)及び受動プーリー(３２４)は通常のタイミングプーリー(timing pulley)であり、ベルト(370)は通常のタイミングベルト(timing belt)のこともある。
【００４６】
下記には図5に図示されたガイドローラー組立体及びピックアップローラー組立体を利用した用紙の給紙を簡略的に説明する。
【００４７】
まず、一枚の用紙(２)を機器本体の内側に給紙するために駆動モーターを作動させると、駆動モーターの駆動力の伝達を受ける電子クラッチ(２６０)はガイド軸(２３２)と連結されてガイド軸(２３２)を一方向(用紙給紙方向)に回転させる。
【００４８】
そしてガイド軸(２３２)が一方向に回転するに伴い駆動ギア(２３４)、アイドラーギア(２７０)、受動ギア(２２４)に連結されたピックアップ軸(２２２)は回転しながらピックアップローラー(２２０)を用紙給紙方向に回転させるが、ピックアップローラー(２２０)はカセット(２１０)に収容された一枚の用紙(2：図参照)をガイドローラー(230ａ、230ｂ)側に押出し、ガイドローラー(230ａ、230ｂ)は用紙(２ａ)をフィーディングローラー(２４０ａ、240ｂ)側に押出す。
【００４９】
このとき、フィーディングローラー(２４０ａ、240ｂ)は誰でもわかるように駆動モーターの駆動力が伝達されて用紙(２)を機器本体の内側に押出すように回転を維持して、電子クラッチ(２６０)はカセット(２１０)に収容された一枚の用紙(２)がフィーディングローラー(２４０)側に給紙されるとガイド軸(２３２)が回転しないようにガイド軸(２３２)との連結を切ってガイド軸(２３２)の回転を停止させる。
【００５０】
電子クラッチ(260)とガイド軸(232)の連結が切れると、フィーディングローラー(２４０ａ、240ｂ)に噛みこまれた用紙(２)は駆動モーターにより用紙給紙方向に回転するフィーディングローラー(２４０ａ、240ｂ)により再び機器本体内側へ給紙されるが、このとき用紙(２ａ；以下“先行用紙”という)がガイドローラー(230ａ、230ｂ)を完全に抜け出るときまでガイドローラー(230ａ、230ｂ)及び駆動ギア(234)は用紙給紙方向に回転するようになり、駆動ギア(234)が用紙給紙方向に回転することにより受動ギア(224)及びピックアップローラー(220)も用紙給紙方向に回転することになる。
【００５１】
一方、ガイドローラー(230a、230b)およびピックアップローラー(220)は用紙(2a;以下"先行用紙"という)がガイドローラ(230a、230b)を完全に抜け出る時まで回転することになるが、この時、先行用紙(2a)がピックアップローラー(220)を先に抜け出るためにピックアップローラー(220)は回転するガイドローラー(230a、230b)により引き続き回転し、その結果、先行用紙(2a)がピックアップローラー(220)を抜け出ると同時に、ピックアップローラー(220)はカセット(210)に収容された後行用紙(2b)の先端をガイドローラー(230a、230b)側に押し出しながら後行用紙(2b)と面密着した状態を維持することになる。
【００５２】
そして先行用紙(２ａ)がガイドローラー(２3０ａ、230ｂ)を完全に抜け出すとガイドローラー(２3０ａ、230ｂ)及びピックアップローラー(220)は停止するが、このときピックアップローラー(220)によりピックアップされた後行用紙(２ｂ)の先端がガイドローラー(２3０ａ、230ｂ)にかみこまれ給紙を待機することになる。
【００５３】
このように形成された本発明による事務自動化機器の給紙装置(200)は、ガイド軸(232)が停止した状態でもガイドローラー(２3０ａ、230ｂ)とともに、ガイドローラー(２3０ａ、230ｂ)の回転によりピックアップローラー(220)が回転するために後行用紙(２ｂ)の先端をガイドローラー(２3０ａ、230ｂ)の間にかみこむことができるのみならず、ガイド軸(232)が停止しているために次の給紙時ガイド軸(232)と電子クラッチ(260)の間でのスリップが発生することを根本的に防止することになる。
【００５４】
上記のように事務自動化機器の給紙装置(200)は上に説明した実施例の構成と作動方式に限られるものではない。上記実施例は各実施例の全部または一部が選択的に組み合わせられて多様な変形がなされるように構成することもできる。
【符号の説明】
【００５５】
200：事務自動化機器の給紙装置
210：カセット
220：ピックアップローラー
222：ピックアップ軸
224：受動ギア
226：ワンウェイベアリング
230ａ、230ｂ：ガイドローラー
232：ガイド軸
234：駆動ギア
236：ワンウェイベアリング
240ａ、240ｂ：受動ギア
334：駆動プーリー
260：電子クラッチ
270：アイドラーギア
324：受動プーリー
334：駆動プーリー
370：ベルト
【図１】
2020528389.tif 000003
【図２】
2020528389.tif 000004
【図３】
2020528389.tif 000005
【図４】
2020528389.tif 000006
【図５】
2020528389.tif 000007
【図６】
2020528389.tif 000008
【国際調査報告】
2020528389.tif 000009
2020528389.tif 000010
2020528389.tif 000011
2020528389.tif 000012